(57)【要約】２つのプリズムの斜辺面の間に偏光ビームスプリッタ（ＰＢＳ）を挟んで対向させた２つのプリズム（２２ａ，２２ｂ）からなるキューブであって、イルミネーションインプット面（２３）とイルミネーションアウトプット面（４２）を形成する第１の一対の対向面と、反射手段を位置する第２の一対の対向面（２６，３２）とを有するキューブからなり、画像形成光線がアウトプット面から出力され、前記キューブの他の面に１つに位置するディスプレイソース（３０）から画像が引き出され、前記キューブがディスプレイソースの中間画像を支持しないように反射手段が配置されている平面偏光の取り扱いに適した光学装置。
2004527801.tif 000002
【特許請求の範囲】
【請求項１】
２つのプリズムの斜辺面の間に偏光ビームスプリッタ（ＰＢＳ）を挟んで対向させた２つのプリズムからなるキューブであって、イルミネーションインプット面とイルミネーションアウトプット面を形成する第１の一対の対向面と、反射手段を位置する第２の一対の対向面とを有するキューブからなり、画像形成光線がアウトプット面から出力され、前記キューブの他の面に１つに位置するディスプレイソースから画像が引き出され、前記キューブがディスプレイソースの中間画像を支持しないように反射手段が配置されている平面偏光の取り扱いに適した光学装置。
【請求項２】
前記ＰＢＳが、２つの偏光選択コーティング層の間に挿入された直線偏光子である請求項１記載の光学装置。
【請求項３】
前記ディスプレイソースが平面偏光を発し、インプット面に位置している請求項１又は２記載の光学装置。
【請求項４】
前記ディスプレイソースが反射型であって、反射手段の１つを形成し、イルミネーションソースが平面偏光を発してインプット面に位置している請求項１又は２記載の光学装置。
【請求項５】
前記キューブのインプット面が凸状をなしている先行請求項のいずれかに記載の光学装置。
【請求項６】
反射手段の一つが凹面状である先行請求項のいずれかに記載の光学装置。
【請求項７】
前記一つの反射手段と前記キューブとの間に４分の１波長板が位置している請求項６記載の光学装置。
【請求項８】
前記アウトプット面に位置するコリメータを備えた先行請求項のいずれかに記載の光学装置。
【請求項９】
イルミネーションソースが、前記インプット面にテレセントリックイルミネーションを入射させる請求項４〜８のいずれか１項記載の光学装置。
【請求項１０】
イルミネーションソースがレーザである請求項９記載の光学装置。
【発明の詳細な説明】
【背景技術】
【０００１】
本発明は、光学装置に関し、さらに言えば、積み重ねた多画像ディスプレイシステムで使用するためのイルミネーション及び／又はコリメーション方式を組み込んだ光学装置に関する。特に、本発明は偏光ビームスプリッタを使用する光学装置に係る。
【０００２】
光学的視野システムにおいて、非転倒式の映像増倍管を使用する軽量の単眼夜間照準器は、映像が視野光学系で倒置するような方式で、典型的には組み立てられている。屈折リレー光学系のような通常の反転手段を採用している視野光学機器は、残念ながら、比較的嵩高であると共に重量がある。この欠点を解消するため、偏光ビームスプリッタを使用した光学装置("Compact Viewing Optics Using Polarising" 「偏光を利用した小型光学表示」ピージェー・ロジャース(P J Rogers) SPIE 第65５巻、322〜327頁、1986年)が開発されている。この装置は，図１に示される。光学装置１は、発光体から偏光していない光の形で画像を受像し、面偏光子６を介して光を偏光させ、しかる後、ビームスプリッタキューブ２の偏光選択コーティング１０を使用して、３つの行路に分割する。反転中継器として機能する凹面鏡４は、４分の１波長板の一部を形成する平板状ダイクロミックミラー上に、中間画像を形成する。光パワーと同じサイズにあるが、他の光学部品（例えば、接眼レンズ）とは反対の画像湾曲を持つ凹面鏡４は、４分の１波長板として、ビームスプリッタキューブ２の一方の面に位置しており、一方、ダイクロミックミラーと４分の１波長板は、前記キューブの対向面に位置している。この配置は、コンパクトな「インーライン」、なわち、ビームスプリッタコーティングの両側に同軸の光軸がある形態を提供している。
【０００３】
最近のディスプレイシステムの開発では、レーザイルミネーションと操作中に本質的に直線偏光する表示ソース（源）を持つようなディスプレイ装置が案出されている。イルミネーション及びコリメーションシステムを集積化し、コンパクト化するために、偏光ビームスプリッタを合体させた光学機器も提案されている。理想的なテレセントリック光学機器は、次のようなテレセントリックシステムを利用する場合に、すなわち、画像及び／又は物体のすべての部分から発する光ビームの中心又は前記部分に向かう光ビームの中心が、光軸に平行であり、従って、偏光選択コーティングの角度幅が最小であるようなレンズ系を備えたテレセントリックな光学機器を使用する場合に、採用されるべきである。しかしながら、テレセントリックな光学機器は、一般に、開口絞りの位置取りが侭ならず、とりわけ、平面画像を得る際に問題があるため、その設計が困難である。ちなみに、開口絞りは、主光線を光軸と平行にする役割を果たし、このものは開口ビームを定義する光線の交差部（丘）に比較して、光軸より上位の比較的大きい丘において、光線が光学機器を横切るようにさせている。開口絞りの位置取りは、オフビーム収差の補正を困難にしている。平面画像を得るためには、すべての屈折系光学機器は、互いに補償し合う二つのサインを発する高い光パワーを必要とするが、主光線の交差丘が比較的大きいために、そうすると、軸から離れた部分で収差が大きくなる。
【発明の開示】
【発明が解決しようとする課題】
【０００４】
本発明の目的のひとつは、上記した問題点の少なくとも一つを解消させることにある。
本発明によれば、偏光面の取り扱いに適した光学装置が提供され、その光学装置は２つのプリズムの斜辺面間に偏光ビームスプリッタ（ＰＢＳ）を配したビームスプリッタキューブからなり、当該キューブは、イルミネーションインプット面とイルミネーションアウトプット面を形成する第１の一対の対向面と、反射手段が位置する第２の一対の対向面とを有し、画像を形成する光がアウトプット面からアウトプットされ、画像が前記キューブの他の面に１つに位置するディスプレイソースから取り出され、前記キューブがディスプレイソースの中間画像を支持しないように反射手段を配置させた構成にある。
【０００５】
好ましくは、偏光ビームスプリッタの構成は、各プリズムの斜辺面に配置された２枚の平行なＰＢＳコーティングからなる。
【０００６】
別の偏光ビームスプリッタの構成は、、各プリズムの斜辺面の間に位置する直線偏向子によって生ずる平面的な界面にＰＢＳコーティングを配置させた直線偏光子からなる。
【０００７】
好ましくは、光学装置のインプット面は凸面であり、アウトプット面は平面である。
【課題を解決するための手段】
【０００８】
本発明の一実施態様では、ディスプレイソースは、平面偏光を発すのに適しており、そのものはインプット面に位置している。他の実施態様では、ディスプレイソースが反射手段の一つを形成し、平面偏光を発するに適したイルミネーションソースは、インプット面に位置している。
【０００９】
４分の１波長板は、光学キューブと反射手段との間に配することが好適である。
そして、コリメータはアウトプット面に位置することが好ましい。コリメータは好ましくはテレセントリックである。コリメータは１つ又はそれ以上のレンズで構成することができ、またディフラクティブオプティクスで構成することもできる。
【００１０】
好ましくは他の実施態様で使用するイルミネーションソースは、キューブのインプット面にテレセントリックなイルミネーションを発する。イルミネーションソースは、インプット面に入射するイルミネーションに所望の開口数を形成する複数個のレンズからなる。
【００１１】
本発明に係る光学システムは、複数のユニットを積み重ねるのに好適なインライン光学システムである。好ましくは複数個の光学システムを重ねて一つのアレーの光学システムをすることができる。
【００１２】
好ましくは重ねた各光学システムの各構成成分に迷光バッフルを設けることもできる。
以下添付図面を参考にして本発明をさらに具体的に説明する。
【発明を実施するための最良の形態】
【００１３】
図２に示す光学装置２０は、２つのプリズム２２ａとプリズム２２ｂとで形成されたキューブ（立方体）２２からなり、２つのプリズムの斜面間には偏光ビームスプリッタが配置されている。好ましくは光学ボディー２５の一部として形作られた好ましくは凹面状のミラー２４は、キューブ２２の面２６に隣接し、ミラー２４とキューブ２２との間には、４分の１波長板２８が設けられている。反射液晶ディスプレイ形式の二次元のディスプレイソース３０は、キューブ２２の面３２に配置され、その面に対向するのは面２６である。各プリズム２２ａ，２２ｂの斜面には、それぞれ、偏光ビームスプリッタ（PBS）コーティング３６及び３８が施されている。キューブ２２のイルミネーションアウトプット面４２は、平面であることが好ましい。
【００１４】
本質的に直線偏光されたイルミネーションソース２１からの光は、プリズム２２ａのイルミネーションインプット面２３に入射し、ディスプレイソース３０を照らす。キューブ２２を透過し、コリメータシステムの一部を形成するミラー２４で反射した後、アウトプット面４２にてキューブ２２から光が出る前に如何なる中間画も形成することなく、ディスプレイソース３０の平板的な画像が、無限遠において形成される。
【００１５】
理解しやすくする目的で、図２では装置に単一光線が伝播するものとし、連続線でＳ偏光を示し、破線でＰ偏光を示し、点線で円偏光を示す。しかして、イルミネーションソース２１で発せられたＳ偏光（ソース２１がレーザの時は、直線偏光が発せられる）は、面２３を経てキューブ２２に送られる。この光はＰＢＳコーティング３６で効率よくディスプレイソース３０に反射される。ディスプレイソース３０において、光は鏡面反射してＰ偏光に変化し、画像を形成する。この光は次いで、ＰＢＳコーティング３６及び３８の両方を効率よく経て４分の１波長板２８を通過して円偏光となり、ミラー２４で反射されて４分の１波長板２８を再び通過してＳ偏光となる。この光線は、次にＰＢＳコーティング３８で反射され、Ｓ偏光としてキューブ２２の外に送られる。
【００１６】
入力光としてＳ偏光だけを使用すると、キューブ２２へＰ偏光が「漏れる」可能性が排除され、ＰＢＳコーティング３８にてＳ偏光だけがアウトプット面４２に伝播する。そして、２つのＰＢＳコーティングを設けていることは、Ｓ偏光を持つ非画像が第１コーティング３６から漏れたとしても、それが第２コーティング３８によってブロックされることを意味している。
【００１７】
図３Ａ及び図３Ｂには、図２の装置２０とほぼ同様な光学装置１２０が示されている。分かりやすくする目的で、図３Ａは光学装置１２０を通過する単一光線の通路を示す。図３Ｂは光学装置１２０を通過してテレセントリックビームを形成する複数の光線の通路を示している。図３Ａから分かるように、装置１２０は、光材料のプリズム１２２ａ及び１２２ｂで形成されたキューブ１２２と、好ましくは凹面ミラー１２４を備えてキューブ１２２の面１２６に近接する光学ボディー１２５と、その間に介在する４分の１波長板１２８とを有している。反射形ＬＣＤであるディスプレイソース１３０は、面１２６の反対側の面１３２に面している。光学装置１２０内に位置する偏光ビームスプリッタは、プリズム１２２ａ及び１２２ｂのそれぞれの斜辺面に配したＰＢＳコーティング１３６及び１３８と、この２つのコーティングに挟まれた直線偏光子１３４とで構成される。
【００１８】
結合（カップリング）を改善し、テレセントリシティーを助けるために、平凸レンズレンズ１３９を、プリズム１２２ａのアウトプット面１２３に貼り付けて、正の光学パワーをディスプレイソース１３０近傍に供給する。
【００１９】
光学装置１２０は先に説明した光学装置２０と同様に作動し、Ｓ偏光は、プリズム１２２ａの面１２３に設けた平凸レンズ１３９の凸面１４０を経て、キューブ１２２に伝播する。その光は、ＰＢＳコーティング１３６で反射されてディスプレイソース１３０に進み、そこでＰ偏光画像搬送光線として反射され、次いで、ＰＢＳコーティング１３６、直線偏光子１３４及びＰＢＳコーティング１３８を、さらに４分の１波長板１２８を通過して凹面鏡１２４で反射される。そして、４分の１波長板１２８を再度通過した後、ＰＢＳコーティング１３８で反射され、面１４２を経てキューブ１２２の外に送られる。
【００２０】
直線偏光子１３４の挿入は、偏光ビームスプリッタからのＳ偏光の漏洩をさらに減少させる。
【００２１】
図２、図３Ａ及び図３Ｂに示す光学装置を、出力０．２５の開口数で操作するためには、ＰＢＳコーティング３６及び３８が、それぞれ広い入射角で機能することが肝要であって、例えば、改良型ＰＢＳコーティングを使用し、高い屈折率の材料で形成したプリズム２２ａ及び２２ｂと併用した場合のコーティングの特性は，図４に示される。これから分かるように、このＰＢＳコーティングは、入射角３０〜５０度の範囲で、Ｓ偏光を極めて僅か透過させるだけで（Ｔｓ参照）、Ｓ偏光の殆どすべてを反射する（Ｒｓ参照）。Ｐ偏光された光は、Ｔｐで示されるように、入射角３３〜５４度の範囲で実質的にすべて透過し、Ｒｐで示されるように、反射されるのは極めて僅かである。しかしながら、３０〜３３度の範囲及び５４〜５５度の範囲で、Ｐ偏光は透過せずに反射される。
【００２２】
もちろん、入力（すなわち、イルミネーション）及び出力の開口数が、かなり低い場合には、それほど改良されていないＰＢＳコーティングでも役割を果たし、比較的狭い範囲の屈折率でしか透過及び反射に十分な性能を奏さないようなコーティングが使用可能である。
【００２３】
光学装置２０及び１２０は、いろいろな光学系で使用することができる。例えば、図５に示されるように、本発明の装置は、テレセントリックなコリメータシステム２５０で使用可能である。このシステム５０は、光学装置２２０（光学装置１２０と同一の装置）と、第１非球面レンズ２４４（このものは、光学プラスチック材料で作られた負のレンズである）と、コリメータレンズとして機能する第２非球面レンズ２４６（このものは、光学プラスチック材料で作られた正のレンズである）を備えている。レンズ２４４と２４６は、凹面鏡２２４（ミラー１２４と同一）と共に、有効でテレセントリックなコリメータシステムが得られるように、光ビーム含有画像に作用する。システムの開口絞りは、レンズ２４６のアウトプット面２４７にある。コリメータレンズの焦点距離Ｆ＝９５．５ｍｍとした場合、レンズ面２４７における開口の対角線で測定して開口をＦ／２とすることができ、あるいは、開口の高さ及び幅で測定してＦ／２．８３を実現できる。状況によっては開口の小さい（開口数が小さい）コリメータの使用が好都合である。
【００２４】
テレセントリックなコリメータシステム２５０は、有効に機能するが、それでも少しの横収差が起こる。開口をＦ／２とした時のタンジェンシャルエラーカーブとサジタルエラーカーブで表示される上記のシステム２５０の横収差を図６に示す。この図には、ディスプレイの軸上、０．７フィールド範囲及び１．０フィールド範囲の各エラーが表示されている。各カーブの垂直軸は、レンズ２４６の開口数を示し、水平軸は画像エラー尺度である。従って、各カーブについてＮＡは、最大±０．２５であり、画像エラーは最大±５μｍである。
【００２５】
本発明の光学装置１２０は、図７で例示されるように、イルミネーション光学システム３６０でも使用することができる。この光学システム３６０は、テレセントリックイルミネーション供給源３６２、典型的には開口数０．６４の供給源３６２と、プラスチック光学材料製の第１非球面レンズ３６４と、プラスチック光学材料製の第２非球面レンズ３６６と、同じくプラスチック光学材料製の第３非球面レンズ３６８とを備えたデュアルテレセントリックイルミネーション光学系であって、第２非球面レンズ３６６のアウトプット面３６７は、テレセントリック絞り（当該絞りは、本例の場合、スクエア開口絞りである）を提供し、第３非球面レンズ３６８は、テレセントリックイルミネーションを光学装置３２０（当該装置は、装置１２０と同一である）に伝搬する。
【００２６】
テレセントリックイルミネーション供給源３６２は、ガウスプロフィールを持つレーザビームが典型的には組み込まれているので、類似の光強度プロフィールが、照明されている物体、すなわち、ディスプレイソース３３０（このものはソース１３０と同じ）に出現する。ディスプレイソースは、実質的に鏡面反射（偏光面は９０°回転）するので、ディスプレイソース３３０を照射する光の特性は、コリメータ光学上最も効率のいい性能が提供される特性と調和していることが、例えば、同じ開口数でテレセントリックな特性と調和していることが望ましい。供給源３６２は、レーザアウトプットに拡散スクリーンを使用することで、供給源３６２自体を特定の開口数を持つテレセントリックにすることができるが、その必要はない。
【００２７】
完全光学系４６９には、図８に示すように、図５のコリメーティングシステムと図７のイルミネーションシステムが組み込まれている。光ビームが遭遇するとは逆の連続番号で符号Ｓ１〜Ｓ２５を付けた各表面での構造パラメータの一例を表１に示す。有効範囲を越える入射角でＰＢＳコーティングに、照射光線が入射することに原因する画像コントラストの低下は、開口数が一杯にならないように系のパラメータを選択することで縮小させることができる。図８に示す系から射出される平行な画像形成光線は、様々な用途に使用可能である。
【００２８】
図８に示す光学システムの複数個を積み重ねて、図９に示すような多画像光学アレイ５７０を形成することができる。アレイ５７０を小型化するために、それぞれのアウトプットコリメーティングレンズ５４６は、プラスチック製の単一構成部材からなる１つのアレイとして形成させることができる。
【００２９】
これ以外のプラスチック製レンズ５４４、５６４，５６６及び５６８も、単一構成部材からなる１つのアレイとして形成可能であって、当該アレイには各光学系同士の干渉やクロストークを防止するための迷光バッフル５４５が設けられる。しかしながら、アレイ５７０のイルミネーション領域及びコリメーション領域でテレセントリックな開口絞りを使用することで、たとえバッフルを使用しなくても、クロストークを大幅に防止することができる。各光学系４６９は正確に規定されたテレセントリックビームを発生するからである。
【００３０】
本発明に係る光学装置の改良型では、図１０Ａ及び図１０Ｂで示されるように、ＬＣＤディスプレイソース６７４と併用される。このディスプレイソースは放射型であるので、イルミネーションソースは存在しない。このディスプレイ系６７２は、光学装置６２０のインプット面６４０に隣接する放射型ＬＣＤディスプレイソース６７４（このものは本質的にテレセントリックであり、且つ直線偏光される）と、アウトプット面６４２に隣接する視野レンズ６７６と、画像表示手段６７８とを備えている。光学装置６２０は、偏光ビームスプリッタ６２８を備えている。光学装置６２０のインプット面６４０とアウトプット面６４２は、図示の例では、凸面である。さらに、光学装置６２０の第１ミラー６２４と第２ミラー６３０は、それぞれ４分の１波長板を有する凹面鏡であって、第２ミラー６３０は、インプットビームのテレセントリックな開口絞りとしても働く。ＬＣＤ６７４は、約±１２°の極角の間で、すなわち、法線に集中した平面偏光を発する。ディスプレイ系６７２は、小型化されているので、必要な拡大は極めて短い距離で達成されなければならない。そのためには、反射及び屈折の両方に関して、平面画像が得られるように、高水準の光学エネルギーが、表示手段６７８に要求される。非球面の視野レンズ６７６は、残留ディストーションや高次元の像面湾曲を取り除く。しかし、光学装置２０や１２０などと比較して、光学装置６２０の場合には、ディスプレイの対角線サイズと、ディスプレイソースから最終画像までの距離とのアスペクト比が比較的大きい（約０．７）ために、フィールドアングルに関してより大きな許容度が要求される。このアスペクト比は、前面から背面までの寸法が小さいディスプレイを得るために必要である。大きなフィールドアングルは、ＰＢＳコーティングにおいて、インプット光ビームの入射角を広範囲にする。入射角の範囲に適合させるためには、それほど改良されていないものの、Ｓ偏光とＰ偏光とを妥当に区分できるＰＢＳコーティングを使用する。このコーティングの性能は図１１に示される。このようなＰＢＳコーティングを使用するに際しては、光学装置を通るＳ偏光の漏洩が防止できるように、ＰＢＳコーティングを各表面に配した直線偏光子を持つＰＢＳ配置を採用することが好ましい。各面に符号Ｐ１〜Ｐ１９を付けた図１０Ｂに示すディスプレイ系の構造パラメータを表２に示す。
【００３１】
図１０Ａの非球面レンズ６７６は、プラスチック製とすることができ、また、積み重ねの目的で、連続アレイの一部として形成することもできる。このような積み重ね配置は、図１２に示されている。各ディスプレイソースの活性領域を互いに密着させ、ＬＣＤのようなディスプレイソースの多数個を一体化できない時に、図１２のようなディスプレイ系は有用である。
【００３２】
本発明の技術思想から逸脱しない限り、本発明の光学装置には、各種の改良やそれに伴う変更を付加することができる。例えば、イルミネーションソース又はディスプレイソースがＰ偏光を発する場合には、ＰＢＳコーティングがＰ偏光を反射し、Ｓ偏光を伝導するようなＰＢＳ配置を、光学装置に組み込むことができる。完全光学系では、系の性能を変更するために、パラメーターと光学材料を変更することができ、系の開口数が小さい場合には、屈折率の低い装置が使用できる。系のレンズは、小型化を実現する上で、非球面であることが好ましいが、球面レンズも使用することができる。図８の系では、イルミネーションソースがガウスプロフィルを有するレーザビームであるが、レーザビームエキスパンダーとして機能する極端に非球面の２つの別のレンズを使用することで、ガウスプロフィルをトップハットプロフィルに替えることができる。レーザビームインプット光ビームの偏光純度は、維持される必要があるが、そのコヒーレンス長は、短くすることができる。これはレーザビームエキスパンディング領域に、回転ハイゲイン拡散板を配置してスペックルと干渉を低下させることで実現さえる。こうすることで、イルミネーションソースからの与えられた開口数のテレセントリックな光を収集することができる。
【００３３】
ビームエキパンド光学系は、厳密なテレセントリシティーが要求されないような特定な用途において、光ビームを必要に応じて集中させ、あるいは分散させるのに使用する。
【００３４】
光学装置の主要部はガラス又は光学用プラスチックで製造することでき、このプラスチックには、ゼオネックス（Zeonex）、ＣＲ３９及びその他の高屈折率眼科用プラスチックが含まれ、これらは長い光路長でも充分に光を伝送する性質にある。全てではないが或る用途では、キューブ本体に高い精度を必要としない場合があり、従って、キューブ本体をガラスで製造する場合には、火造り（fire-polished）することができ、プラスチックで製造する場合には、鋳型造りすることができる。光学装置がプラスチック光学材料で製造される場合には、位相リターデーションを正当なレベルに保持するために、ミラーの材料は複屈折とすることができ、こうすることで光学装置内での４分の１波長板の必要性を除くことができる。
【００３５】
装置をガラス製とする場合、投影ディスプレイ系（図１０参照）のディスプレイソースの近傍に、別のレンズを位置させて光学装置本体の寸法を縮小させることができる。
ディスプレイ系のこれら以外の変更には、ディスプレイソースとしてデジタルミクロミラー装置などを使用することが含まれる。
【００３６】
【表１】
2004527801.tif 000003
【００３７】
【表２】
2004527801.tif 000004
【図面の簡単な説明】
【００３８】
【図１】当業界で公知の偏光ビームスプリッタを使用した小型光学装置を示す。
【図２】反射型ディスプレイソースを組み込んだ本発明の一実施例の光学偏光装置を示す概略図。
【図３Ａ】本発明の好ましい実施態様による光学偏光装置の概略図。
【図３Ｂ】テレセントリックイルミネーションを持つ図３Ａの光学偏光装置。
【図４】本発明の装置に使用して好ましいＰＢＳコーティングの特性を示すグラフである。
【図５】本発明の装置に組み込まれるテレセントリックコリメータを示す。
【図６】図５のコリメータのアウトプットにおける横収差を示す図面。
【図７】本発明の装置に組み込まれたデュアルテレセントリックイルミネーションシステムの概略図。
【図８】コリメータ及びイルミネーションの両システムを組み込んだ完全光学システムの概略図。
【図９】図８に示した光学系の積み重ねアレイを示す。
【図１０Ａ】プロジェクションディスプレイソースを組み込んだ本発明の光学装置と、そこでの光行路を示した図面。
【図１０Ｂ】表２に示すデータとの関係を示す図１０Ａ対応図。
【図１１】図１０の装置の使用するＰＢＳコーティング特性を示すグラフ。
【図１２】図１０の装置を配列させて１つの表示装置とした説明図。
【符号の説明】
【００３９】
１：光学装置              ２：ビームスプリッタキューブ
４：凹面鏡                ６：面偏光子
２０：光学装置            ２１：イルミネーションソース
２２：キューブ            ２２ａ，２２ｂ：プリズム
２４：凹面ミラー          ２８：４分の１波長板
３０：ディスプレイソース  ３６，３８：ＰＢＳコーティング
１２０：光学装置          １２１：イルミネーションソース
１２２：キューブ          １２２ａ，１２２ｂ：プリズム
１２４：凹面ミラー        １２８：４分の１波長板
１３０：ディスプレイソース    １３６，１３８：ＰＢＳコーティング
【図１】
2004527801.tif 000005
【図２】
2004527801.tif 000006
【図４】
2004527801.tif 000007
【図６】
2004527801.tif 000008
【図１１】
2004527801.tif 000009
【国際公開パンフレット】
2004527801.tif 000010
2004527801.tif 000011
2004527801.tif 000012
2004527801.tif 000013
2004527801.tif 000014
2004527801.tif 000015
2004527801.tif 000016
2004527801.tif 000017
2004527801.tif 000018
2004527801.tif 000019
2004527801.tif 000020
2004527801.tif 000021
2004527801.tif 000022
2004527801.tif 000023
2004527801.tif 000024
2004527801.tif 000025
2004527801.tif 000026
2004527801.tif 000027
2004527801.tif 000028
2004527801.tif 000029
2004527801.tif 000030
2004527801.tif 000031
2004527801.tif 000032
2004527801.tif 000033
2004527801.tif 000034
2004527801.tif 000035
2004527801.tif 000036
2004527801.tif 000037
【国際調査報告】
2004527801.tif 000038
2004527801.tif 000039